(57)【要約】【課題】内容物に金属が含まれていても、その金属に影響されることなく無線タグの情報を正確に読取らせることができるようにする。【解決手段】封筒を外袋と内袋の多重構造とし、外袋の内袋と重ならない部分に無線タグを添付するための添付欄を設ける。【選択図】    図１
2004299692.tif 000002
【特許請求の範囲】
【請求項１】
情報を発信する無線タグが添付される封筒において、
内容物を収容する内袋と、
この内袋を収容する外袋と、
この外袋と前記内袋とが重ならない部分に設けられた無線タグ添付欄と、
を備えたことを特徴とする封筒。
【請求項２】
前記外袋と内袋を縦長とし、前記外袋と内袋の開口を上にしたとき、前記外袋の底部と前記内袋の底部との間に前記無線タグ添付欄を設けたことを特徴とする請求項１記載の封筒。
【請求項３】
前記外袋と内袋を縦長とし、前記外袋と内袋の開口を上にしたとき、前記外袋の一側部と前記内袋の一側部との間に前記無線タグ添付欄を設けたことを特徴とする請求項１記載の封筒。
【発明の詳細な説明】
【０００１】
【発明の属する技術分野】
本発明は、記録扱い郵便用封筒等のように無線タグが添付される封筒に関する。
【０００２】
【従来の技術】
従来、現金書留，簡易書留，配達記録郵便等の記録扱い郵便に用いられる封筒に固有のＩＤ情報を発信する無線タグを添付し、引受から配達までの各拠点にて封筒に添付された無線タグのＩＤ情報を読取り蓄積することによって、記録扱い郵便用封筒の記録管理を自動化する技術は、既に知られている（例えば、特許文献１参照）。
【０００３】
【特許文献１】
特開２００２−２３６７２６
【０００４】
【発明が解決しようとする課題】
しかしながら、無線タグから発信される情報を読取る無線タグリーダは、無線タグの背後に金属があると、その金属に電波が反射するために情報を読取れないことが多かった。このため、封筒の内容物に金属が含まれていると、その封筒に添付された無線タグの情報を読取れない場合があった。
【０００５】
図６は従来の無線タグを添付する封筒の一例である現金書留用封筒１を示しており、この封筒１は、表面に受取人欄，差出人欄，引受番号欄等が形成された現金書留票（不図示）が設けられた外袋２と、紙幣Ｂ，硬貨Ｃ等の現金や通信文等を収容するための内袋３とから構成されている。無線タグ４は、通常、郵便物の引受局にて封筒１の外袋２に貼り付けられる。図６の例では、外袋２と内袋３の開口を上にしたとき、外袋２の比較的底部に近い裏面に無線タグ４が貼り付けられている。しかしながら。この場合においても、無線タグ４の背後に、内袋に収容された硬貨Ｃの影響により無線タグ４の情報を読取れないことがある。
【０００６】
本発明はこのような事情に基づいてなされたもので、その目的とするところは、内容物に金属が含まれていても、その金属に影響されることなく無線タグの情報を正確に読取らせることができる封筒を提供しようとするものである。
【０００７】
【課題を解決するための手段】
本発明は、ＩＤ情報を発信する無線タグが添付される封筒において、内容物を収容する内袋と、この内袋を収容する外袋と、この外袋と内袋とが重ならない部分に設けられた無線タグ添付欄とを備えたものである。
【０００８】
無線タグは、外袋の内袋と重ならない部分に添付されるので、たとえ内袋に硬貨等の金属が収容されても、当該金属が無線タグの背後に位置することはないので、無線タグの情報読取りに影響を及ぼすことはない。
【０００９】
【発明の実施の形態】
以下、本発明の実施の形態を図面を用いて説明する。
なお、この実施の形態は、無線タグを添付する封筒の一例として現金書留用封筒に本発明を適用した場合であって、図６と同一部分には同一符号を付している。
【００１０】
図１は本実施の形態における現金書留用封筒１１の模式図であり、この封筒１１は、縦長の外袋１２と、この外袋１２に収容される縦長の内袋１３とからなる。内袋１３は、紙幣Ｂや硬貨Ｃ等の現金や通信文等の内容物を収容するためのものである。外袋１２は、図示しないが、その表面に受取人欄，差出人欄，引受番号欄等が形成された現金書留票を設けている。また、その裏面に無線タグ４の添付欄１４を形成している。無線タグ添付欄１４は、外袋１２と内袋１３とが重ならない部分、つまりは外袋１２と内袋１３の開口を上にしたとき、外袋１２の底部１２ｂと内袋１３の底部１３ｂとの間隙に設けている。同図では、短冊状の無線タグ４を外袋１２の外側に添付するための無線タグ添付欄１４を示している。
【００１１】
図２は封筒１１の無線タグ添付欄１４に貼り付けられた無線タグ４の情報を読取る無線タグ読取装置２０の概略構成を示すブロック図である。無線タグ読取装置２０は、アンテナ２１と、無線タグリーダ２２と、パソコン等の上位端末２３とからなる。
【００１２】
無線タグリーダ２２は、図３に示すように、上位端末２３とのインタフェース部３１、ＣＰＵ，ＲＯＭ，ＲＡＭ等で構成される制御部３２、無線タグ４への送信データを変調する変調部３３、変調電波を増幅してアンテナ２１から放射させる送信アンプ３４、アンテナ２１で受信した電波を増幅する受信アンプ３５及び増幅された受信電波を復調する復調部３６から構成している。
【００１３】
無線タグ４は、図４に示すように、送受信可能なタグアンテナ４１とＬＳＩチップ４２とを基板に一体成形した独立の部品である。タグアンテナ４１は、矩形状に成形されたループコイル等からなる。ＬＳＩチップ４２は、タグアンテナ４１で受信した変調電波の整流と安定化を行なうことによりＬＳＩチップ４２の各部に電源を供給する電源生成部４３、上記変調電波を復調して制御部４６へ送出する復調部４４、制御部４６から送出されたデータを変調してタグアンテナ４１に送出する変調部４５、復調部４４で復調されたデータのメモリ４７への書込みや、メモリ４７から送信データを読み出して変調部４５へ送出する制御部４６及びメモリ４７で構成している。メモリ４７は、当該無線タグ４の製造段階で製造業者により割当て設定された固有の無線ＩＤ（ＲＦＩＤ）を記憶する無線ＩＤエリアと、ユーザが任意のデータを書込むことができるユーザエリアとからなる。
【００１４】
かかる構成の無線タグ読取装置２０は、上位端末２３から無線タグリーダ２２に読出し命令が出力されると、この読出し命令のデータが無線タグリーダ２２の変調部３３に送られる。そして、変調部３３にて無線送信に必要な変調が加えられた後、送信アンプ３４を経てアンテナ２１から読出し命令の電波が無線送信される。
【００１５】
この読出し命令の電波をタグアンテナ４１で受信した無線タグ４においては、電波が電源生成部４３へ送られ、電源生成部４３にて整流と安定化が行なわれることにより、ＬＳＩチップ４２の各部に電源として供給される。そして、当該電波が復調部４４で読出し命令に復調される。これにより、制御部４６の働きによってメモリ４７に記憶されているデータ（ＲＦＩＤやユーザエリアのデータ）が読み出され、変調部４５にて無線送信に必要な変調が加えられた後、タグアンテナ４１を介して外部に電波として発信される。
【００１６】
このタグアンテナ４１から発信されたメモリデータの電波が無線タグ読取装置２０のアンテナ２１によって受信されると、この電波が受信アンプ３５を経て復調部３６にてメモリデータに復調された後、制御部３２へ送られる。これにより、制御部４６の働きによって、メモリデータがインタフェース部３１を介して上位端末２３に送出される。かくして、無線タグ４のメモリ４７に記憶されているデータが読み出される。
【００１７】
このように、無線タグ読取装置２０は、無線タグ４のタグアンテナ４１から発信される電波をアンテナ２１で受信することによって無線タグ４のデータを読取っている。このため、タグアンテナ４１から発信される電波が例えばその背後にある金属に反射して干渉を起こすと、受信電波を復調しても正確なデータが得られないことがある。
【００１８】
そこで、本実施の形態の現金書留用封筒１１は、図１に示すように、外袋１２と内袋１３とが重ならない部分に無線タグ添付欄１４を設けており、この添付欄１４に無線タグ４を貼り付けるようにしている。これにより、外袋１２の内袋１３と重ならない部分に無線タグ４が貼付されるので、たとえ内袋１３に金属の一種である硬貨Ｃが収容されたとしても、硬貨Ｃが無線タグ４の背後に位置することはない。したがって、タグアンテナ４１から発信される電波が硬貨Ｃによって反射してしまい、無線タグ読取装置２０で無線タグ４のメモリデータを読取れなくなるようなことは防止できる。
【００１９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素からいくつかの構成要素を削除してもよい。更に、異なる実施形態にわたる構成要素を適宜組み合わせてもよい。
【００２０】
例えば、前記実施の形態では、縦長の封筒を示したが、横長の封筒にも本発明は適用できるものである。横長の封筒の場合、図５に示すように、内袋１３をいずれか一方の側に寄せて外袋１２内に収容することで、外袋１２の他方の側に内袋１３と重ならない部分を形成し、この部分に無線タグ添付欄１４を設けると、内袋１３の容量を大きくできるので、都合がよい。
【００２１】
また、図１に示した縦長の封筒１１において、内袋１３の封止位置を外袋１２の封止位置よりも下方にすることで、外袋１２の上部に内袋１３と重ならない部分を形成し、この部分に無線タグ添付欄１４を設けることも可能である。
【００２２】
また、前記実施の形態では、無線タグ４を短冊状としたが、ボタン型，ピン型等の無線タグ４であっても同様に実施できるものである。また、前記実施の形態では、無線タグ４を外袋１２の外面に貼付したが、その内面の内袋１３と重ならない部分に無線タグ４を貼付するようにしてもよい。
【００２３】
また、本発明の封筒は、現金書留用封筒に限定されるものではなく、簡易書留，配達記録郵便等の記録扱い郵便用封筒やその他の封筒に適用できるのは言うまでもないことである。
【００２４】
【発明の効果】
以上詳述したように本発明によれば、内容物に金属が含まれていてもその金属に影響されることなく無線タグの情報を正確に読取らせることができる封筒を提供できる。
【図面の簡単な説明】
【図１】本発明の一実施の形態である封筒の模式図。
【図２】無線タグ読取装置の一構成例を示すブロック図。
【図３】無線タグリーダの一構成例を示すブロック図。
【図４】無線タグの一構成例を示すブロック図。
【図５】本発明の他の実施形態である封筒の模式図。
【図６】従来の封筒の一例を示す模式図。
【符号の説明】
４…無線タグ、１１…封筒（現金書留用封筒）、１２…外袋、１３…内袋、１４…無線タグ添付欄。
【図１】
2004299692.tif 000003
【図２】
2004299692.tif 000004
【図３】
2004299692.tif 000005
【図４】
2004299692.tif 000006
【図５】
2004299692.tif 000007
【図６】
2004299692.tif 000008